(57)【要約】【課題】  再利用できなくすることにより、セキュリティ性を高めることが容易な偽造防止ラベル及びそれに用いる粘接着剤の組成物を提供する。【解決手段】  偽造防止ラベル１１は、支持体１２と、印刷層１３と、保護層１４と、粘接着剤２１からなる接着層１５とを備えている。粘接着剤２１には、同粘接着剤２１に難溶性の添加剤２０が含有されている。【選択図】      図２
2005266147.tif 000002
【特許請求の範囲】
【請求項１】
支持体と、印刷層と、粘接着剤からなる接着層とを備え、被着体に貼着される偽造防止ラベルであって、前記粘接着剤には、同粘接着剤に難溶性の添加剤が含有されていることを特徴とする偽造防止ラベル。
【請求項２】
前記粘接着剤は油性接着剤であり、前記添加剤は水性材料からなることを特徴とする請求項１に記載の偽造防止ラベル。
【請求項３】
前記水性材料は、親水性溶媒及び親水性微粒子のうち少なくともいずれか１種であることを特徴とする請求項２に記載の偽造防止ラベル。
【請求項４】
前記親水性溶媒は、水、エタノール、アルコール、グリコールのうち少なくともいずれか１種であることを特徴とする請求項３に記載の偽造防止ラベル。
【請求項５】
前記親水性微粒子は、水性アクリル系樹脂、ポリエチレンオキシド系樹脂、セルロース誘導体系樹脂、でんぷん誘導体系樹脂のうち少なくともいずれか１種を含むことを特徴とする請求項３に記載の偽造防止ラベル。
【請求項６】
前記油性接着剤は、油性アクリル樹脂、エポキシ系樹脂、ポリエチレン系樹脂、オレフィン系樹脂、ウレタン系樹脂、シリコーン樹脂のうち少なくともいずれか１種を含むことを特徴とする請求項２〜５のうちいずれか１項に記載の偽造防止ラベル。
【請求項７】
前記添加剤は油性樹脂からなる壁材により被覆されていることを特徴とする請求項２〜６のうちいずれか１項に記載の偽造防止ラベル。
【請求項８】
前記油性樹脂は、ワックス類、ポリエチレン類、天然高分子類、アクリル酸エステル類のうち少なくともいずれか１種であることを特徴とする請求項７に記載の偽造防止ラベル。
【請求項９】
前記添加剤はマイクロカプセルのコアとして構成されていることを特徴とする請求項１〜８のうちいずれか１項に記載の偽造防止ラベル。
【請求項１０】
前記印刷層は、光学的特性を有するインク、蛍光インク、燐光インクのうち少なくともいずれか１種のインクにより印刷されていることを特徴とする請求項１〜９のうちいずれか１項に記載の偽造防止ラベル。
【請求項１１】
前記印刷層の表面全体を被覆するように保護層が形成されていることを特徴とする請求項１〜１０のうちいずれか１項に記載の偽造防止ラベル。
【請求項１２】
有機溶剤に対し易溶性のインクが前記印刷層及び前記接着層のうち少なくともいずれか一方に含有されていることを特徴とする請求項１〜１１のうちいずれか１項に記載の偽造防止ラベル。
【請求項１３】
請求項１〜１２のうちいずれか１項に記載の偽造防止ラベルに用いられ、前記粘接着剤に難溶性の添加剤が含有されていることを特徴とする接着層の組成物。
【発明の詳細な説明】
【技術分野】
【０００１】
本発明は、偽造防止ラベル及びそれに用いる接着層の組成物に関するものである。
【背景技術】
【０００２】
近年、知的財産を侵害する粗悪な模倣品被害が大きな社会問題となっている。そこで、模倣品対策として、真正品であることを証明するための認証ラベルを真正品又はそのパッケージに貼り付けることが広く知られている。この認証ラベルには、例えば、特殊インク、特殊印刷、ホログラム、磁気記録等、多くの偽造防止手段が施されている。しかし、これら偽造防止手段が認証ラベルに施されたとしても、認証ラベルを真正品から剥がし取り、模倣品に再貼り付けを行うといった不正行為が頻繁に行われている。このようなことから、認証ラベルの再貼り付けを防止することを目的として、同ラベルを剥がし難くさせるための方法が、特許文献１〜３に開示されている。
【特許文献１】特開平１０−２０４３６３号公報
【特許文献２】特開２０００−２９３１０８号公報
【特許文献３】特開２００２−７２８８９号公報
【発明の開示】
【発明が解決しようとする課題】
【０００３】
しかし、特許文献１〜３によると、真正品から認証ラベルを剥がすことに成功しさえすれば、その認証ラベルを模倣品に再貼り付けすることにより、不正行為が容易になされるという問題があった。
【０００４】
本発明は、再利用できなくすることにより、セキュリティ性を高めることが容易な偽造防止ラベル及びそれに用いる粘接着剤の組成物を提供することにある。
【課題を解決するための手段】
【０００５】
上記課題を解決するため、本発明は、支持体と、印刷層と、粘接着剤からなる接着層とを備え、被着体に貼着される偽造防止ラベルであって、前記粘接着剤には、同粘接着剤に難溶性の添加剤が含有されていることをその要旨とする。
【０００６】
本発明によれば、粘接着剤には、同粘接着剤に難溶性の添加剤が含有されている。この場合、添加剤が粘接着剤に溶けずに存在することによって、偽造防止ラベルを被着体から引き剥がしたときに、粘接着剤からなる接着層の剥離面に無数の凹凸を形成することができる。この凹凸によって、一旦引き剥がされた偽造防止ラベルの粘着力を大幅に低下させることができる。又、一旦引き剥がされた偽造防止ラベルが被着体に貼り付けられたとしても、接着層の剥離面に形成された凹凸を印刷層に浮き立たせることで、同ラベルが不正に引き剥がされたことを証明する痕跡を明確にすることができる。
【０００７】
本発明は、前記粘接着剤は油性接着剤であり、前記添加剤は水性材料からなることをその要旨とする。
本発明によれば、油性接着剤である粘接着剤に水性材料からなる添加剤が含有されている。この場合、粘接着剤と添加剤とが互いに混じり合わないため、偽造防止ラベルを被着体から引き剥がしたときに、粘接着剤からなる接着層の剥離面に無数の凹凸を形成することが容易となる。
【０００８】
本発明は、前記水性材料は、親水性溶媒及び親水性微粒子のうち少なくともいずれか１種であることをその要旨とする。
本発明によれば、親水性溶媒、親水性微粒子と油性接着剤である粘接着剤とが互いに混じり合うことはないため、偽造防止ラベルを被着体から引き剥がしたときに、粘接着剤からなる接着層の剥離面に無数の凹凸を形成することがより容易となる。
【０００９】
本発明は、前記親水性溶媒は、水、エタノール、アルコール、グリコールのうち少なくともいずれか１種であることをその要旨とする。
本発明によれば、水、エタノール、アルコール、グリコールはいずれも親水性に富み、かつ取り扱いが容易な物質であるため、被着体から引き剥がされた偽造防止ラベルの接着層の剥離面に無数の凹凸を形成することがより一層容易となる。
【００１０】
本発明は、前記親水性微粒子は、水性アクリル系樹脂、ポリエチレンオキシド系樹脂、セルロース誘導体系樹脂、でんぷん誘導体系樹脂のうち少なくともいずれか１種を含むことをその要旨とする。
【００１１】
本発明によれば、水性アクリル系樹脂、ポリエチレンオキシド系樹脂、セルロース誘導体系樹脂、でんぷん誘導体系樹脂はいずれも親水性に富む物質であるため、油性接着剤である粘接着剤と互いに混じり合うことはない。このため、被着体から引き剥がされた偽造防止ラベルの接着層の剥離面に無数の凹凸を形成することがより一層容易となる。
【００１２】
本発明は、前記油性接着剤は、油性アクリル樹脂、エポキシ系樹脂、ポリエチレン系樹脂、オレフィン系樹脂、ウレタン系樹脂、シリコーン樹脂のうち少なくともいずれか１種を含むことをその要旨とする。
【００１３】
本発明によれば、油性アクリル樹脂、エポキシ系樹脂、ポリエチレン系樹脂、オレフィン系樹脂、ウレタン系樹脂、シリコーン樹脂はいずれも親油性に富む物質であるため、水性材料からなる添加剤と互いに混じり合うことはない。このため、被着体から引き剥がされた偽造防止ラベルの接着層の剥離面に無数の凹凸を形成することが更に容易となる。
【００１４】
本発明は、前記添加剤は油性樹脂からなる壁材により被覆されていることをその要旨とする。
本発明によれば、水性樹脂からなる添加剤は油性樹脂からなる壁材により被覆されているため、粘接着剤中の添加剤の非凝集性・分散性を高く保つことができる。つまり、添加剤を粘接着剤中に偏在させることなく、より均一に分散させることができる。このため、被着体から引き剥がされた偽造防止ラベルの接着層の剥離面に凹凸を満遍なく形成することができる。
【００１５】
本発明は、前記油性樹脂は、ワックス類、ポリエチレン類、天然高分子類、アクリル酸エステル類のうち少なくともいずれか１種であることをその要旨とする。
本発明によれば、ワックス類、ポリエチレン類、天然高分子類、アクリル酸エステル類はいずれも親油性に富み、かつ加熱や有機溶剤に晒されることで溶融し易い物質である。このため、粘接着剤中の添加剤の非凝集性・分散性を高く保つことができる。それと共に、加熱や有機溶剤に晒されることで、壁材が溶融し破壊され易くなることから、添加剤が粘接着剤に速やかに放出される。
【００１６】
本発明は、前記添加剤はマイクロカプセルのコアとして構成されていることをその要旨とする。
本発明によれば、添加剤はマイクロカプセルのコアとして構成されているため、粘接着剤中において、同添加剤を個々に独立した球体として存在させることが可能となる。よって、被着体から引き剥がされた偽造防止ラベルの接着層の剥離面に無数の凹凸を満遍なく形成することがより一層容易となる。
【００１７】
本発明は、前記印刷層は、光学的特性を有するインク、蛍光インク、燐光インクのうち少なくともいずれか１種のインクにより印刷されていることをその要旨とする。
本発明によれば、光学的特性を有するインク、蛍光インク、燐光インクを用いて印刷することにより、偽造防止ラベルについて、被着体から不正に引き剥がされたことを証明することが容易となる。
【００１８】
本発明は、前記印刷層の表面全体を被覆するように保護層が形成されていることをその要旨とする。
本発明によれば、保護層によって、印刷層の変質及び劣化を抑制することができる。
【００１９】
本発明は、有機溶剤に対し易溶性のインクが前記印刷層及び前記接着層のうち少なくともいずれか一方に含有されていることをその要旨とする。
本発明によれば、有機溶剤を用いて偽造防止ラベルを被着体から引き剥がしたときに、印刷層及び前記接着層のうち少なくともいずれか一方に含有された染料が染み出すことによって、不正に引き剥がされたことを証明するのがより一層容易となる。
【００２０】
本発明は、偽造防止ラベルに用いられ、前記粘接着剤に難溶性の添加剤が含有されていることをその要旨とする。
本発明によれば、粘接着剤には、同粘接着剤に難溶性の添加剤が含有されている。この場合、添加剤が粘接着剤に溶けずに存在することによって、偽造防止ラベルを被着体から引き剥がしたときに、粘接着剤からなる接着層の剥離面に無数の凹凸を形成することができる。この凹凸によって、一旦引き剥がされた偽造防止ラベルの粘着力を大幅に低下させることができる。又、一旦引き剥がされた偽造防止ラベルが被着体に貼り付けられたとしても、接着層の剥離面に形成された凹凸を印刷層に浮き立たせることで、同ラベルが不正に引き剥がされたことを証明する痕跡を明確にすることができる。
【発明を実施するための最良の形態】
【００２１】
以下、本発明を具体化した一実施形態を図１〜図３に従って説明する。
図１及び図２に示すように、偽造防止ラベル１１は、支持体１２と、印刷層１３と、保護層１４と、接着層１５とを備えている。偽造防止ラベル１１は、支持体１２と、その表面に印刷又は塗布された印刷層１３及び同印刷層１３を保護する保護層１４と、同支持体１２の裏面に塗布された接着層１５とを一体に形成したものである。従って、偽造防止ラベル１１は、図２に示すように、保護層１４、印刷層１３、支持体１２及び接着層１５の順に積層されている。本実施形態の偽造防止ラベル１１は、被着体１６、又は被着体１６の中に梱包される製品が真正品であることを証明するための認証ラベルとして使用される。被着体１６としては、例えば、プラスチックパッケージ、プラスチックフィルム、コートボール紙等の梱包材、電気製品、日用品、生活雑貨等の工業製品、一般工業部品等が挙げられる。
【００２２】
支持体１２は、剛性を有する樹脂材料からなり、略四角状をなすシート状に形成されている。樹脂材料としては、例えば、ポリ塩化ビニル、ポリエステル、ポリカーボネート、ポリメタクリル酸メチル、ポリスチレン、ポリエチレンテレフタレート、ポリエチレンナフタレート、ポリプロピレン、ポリビニルアルコール等が挙げられる。支持体１２の角部には、それぞれ同支持体１２の外縁から中央部に向けて延びるように切込み部１２ａが形成されている。
【００２３】
印刷層１３は、支持体１２の表面に公知の印刷法により積層形成されている。印刷法としては、例えばシルクスクリーン印刷、グラビア印刷、活版印刷、オフセット印刷、パッド印刷等が挙げられる。印刷層１３は、偽造防止ラベル１１の意匠面１１ａを構成するものである。印刷層１３には、例えば、製造元やブランド名を表示する文字１７等が表示されている。又、この印刷層１３には、偽造防止ラベル１１の複製品が容易に製造されないようにするため、オバート技術やコバート技術等の偽造防止手段が施されている。
【００２４】
オバート技術としては、例えば液晶材料等、光学的特性を有する特殊インク１９（図３参照）を用いることにより、文字１７やその背景１７ａ等を印刷する方法が挙げられる。このオバート技術を施すことで、特殊インク１９で印刷された文字１７やその背景１７ａ等の色相が見る角度に応じて変化する効果（カラーシフト効果）を、偽造防止ラベル１１の意匠面１１ａに持たせている。又、コバート技術としては、例えば蛍光インクや燐光インク等の特殊インクを用いて、隠し文字１８を印刷する方法が挙げられる。このコバート技術を施すことによって、隠し文字１８は、通常の太陽光や蛍光灯の光では確認できないが、ブラックライトやＵＶ光や赤外線光等の光を照射することにより確認可能となる。これら偽造防止手段を併用することによって、偽造防止ラベル１１が偽物であるか否かの判別が容易となる。
【００２５】
又、印刷層１３には、ベンジン、ベンゼン等の有機溶剤（剥離剤）に対し易溶性の染料が含有されている。この場合、有機溶剤を用いて偽造防止ラベル１１を被着体１６から引き剥がしたときに、印刷層１３に含有された染料が染み出すことによって、同ラベル１１が不正に引き剥がされたことを明確にする。
【００２６】
保護層１４は、印刷層１３の表面に公知の塗付法を用いることにより積層形成されている。保護層１４は、印刷層１３を外部から保護するものであり、同印刷層１３の表面全体を被覆するように形成されている。塗付法としては、例えば、リバースロールコーター、ナイフコーター、バーコーター、スロットダイコーター、エアーナイフコーター、リバースグラビアコーター、バリオグラビアコーター等が挙げられる。これら塗付法の替わりに、上述した印刷法を用いることにより保護層１４を形成してもよい。
【００２７】
接着層１５は、支持体１２の裏面に、上述した各種塗付法を用いることにより積層形成されている。接着層１５は、偽造防止ラベル１１を被着体１６に接着させるためのものであり、支持体１２の裏面全体に塗着されている。接着層１５は、自己粘着性を有する粘接着剤２１により構成されている。本実施形態において、粘接着剤２１は、強力な接着力を発揮する油性接着剤が用いられている。油性接着剤は、例えば石油等を原料とした合成樹脂を主成分としている。合成樹脂としては、例えば油性アクリル樹脂、エポキシ系樹脂、ポリエチレン系樹脂、エチレンー酢酸ビニル共重合体等のオレフィン系樹脂、オレフィン系エラストマー、ウレタン系エラストマー、シリコーン樹脂等が挙げられる。
【００２８】
図２に示すように、粘接着剤２１には添加剤２０が添加されている。この添加剤２０は、油性接着剤である粘接着剤２１に難溶性な水性材料により形成されている。水性材料としては、例えば水、エタノール、アルコール、グリコール等の親水性溶媒や、水性アクリル系樹脂、ポリエチレンオキシド系樹脂、セルロース誘導体系樹脂、でんぷん誘導体系樹脂を主成分とする親水性微粒子等が挙げられる。この場合、ポリエチレンオキシド系樹脂としては、ポリエチレングリコール、ポリエチレングリコールモノメチルエーテル、ポリプロピレングリコール類等が挙げられる。又、セルロース誘導体系樹脂としては、メチルセルロース、エチルセルロース、ヒドロキシエチルセルロース、エチルヒドロキシエチルセルロース、ヒドロキシプロピルメチルセルロース、ヒドロキシプロピルセルロース等が挙げられる。又、でんぷん誘導体系樹脂としては、ヒドロキシアルキルでんぷん、酢酸でんぷん、架橋でんぷん、デキストリン、デキストラン等が挙げられる。更には、親水性溶媒と、親水性微粒子とを混合し調整したものを、添加剤２０として用いてもよい。
【００２９】
添加剤２０は、マイクロカプセル２２のコア（芯材）として構成されている。ここで、マイクロカプセル２２とは、コアと、このコアを被覆する壁材としてのシェル２４とにより構成された微小な球体のことを指す。添加剤２０は、マイクロカプセル２２のコアとして構成されることで、個々に独立した球体として粘接着剤２１中に存在することが可能となっている。
【００３０】
一方、シェル２４は、油性接着剤である粘接着剤２１に可溶性な油性樹脂により形成されている。このため、マイクロカプセル２２の外表面は、油性接着剤である粘接着剤２１に対する親和性が高く保たれている。このように、シェル２４は、その内部空間に、水性材料からなる添加剤２０を閉じ込めて保持すると共に、同添加剤２０を、油性接着剤である粘接着剤２１に分散させ易くする機能を有している。
【００３１】
又、マイクロカプセル２２は、何らかの外部要因によりシェル２４が破壊されることで、添加剤２０を外部に放出するようになっている。前記外部要因とは、例えば外部から熱が加えられることや、シェル２４が有機溶剤に晒されたりすること等が挙げられる。このため、シェル２４を構成する油性樹脂としては、加熱されたり有機溶剤に晒されたりすることで、溶解され易い材料が使用される。油性樹脂としては、例えばワックス類、ポリエチレン類、天然高分子類、アクリル酸エステル類等が挙げられる。
【００３２】
又、この接着層１５には、前記印刷層１３と同様に、ベンジン、ベンゼン等の有機溶剤に対し易溶性の染料が含有されている。この場合、前記有機溶剤を用いて偽造防止ラベル１１を被着体１６から引き剥がしたときに、接着層１５に含有された染料が染み出すことによって、同ラベル１１が不正に引き剥がされたことを明確にする。
【００３３】
次に、偽造防止ラベル１１の作用について図３（ａ）〜（ｃ）に従って説明する。
図３（ａ）に示すように、被着体１６（真正品）の表面（平坦面）には、偽造防止ラベル１１が接着層１５により接着されている。このとき、マイクロカプセル２２は、粘接着剤２１中にエマルジョン状態となって存在している。つまり、粘接着剤２１には、添加剤２０がシェル２４（図２参照）に被覆された状態で、個々に独立した微小な球体として存在している。このとき、被着体１６の表面は平坦面であるため、特殊インク１９で印刷された文字１７やその背景１７ａ等（図１参照）の色相が、見る角度に応じて綺麗に変化するようになっている。尚、図中Ａは入射光を示し、Ｂは反射光を示している。
【００３４】
図３（ｂ）に示すように、例えば有機溶剤や加熱等により、偽造防止ラベル１１が被着体１６から引き剥がされたとき、接着層１５を構成する粘接着剤２１が軟化すると共に、マイクロカプセル２２のシェル２４（図２参照）が溶融し破壊される。そして、マイクロカプセル２２から添加剤２０が速やかに放出される。しかし、添加剤２０は、粘接着剤２１に溶融せずにそのまま存在し続けている。その結果、接着層１５の剥離面１５ａには、添加剤２０によって無数の凹凸２５が形成される。
【００３５】
図３（ｃ）に示すように、被着体１６から引き剥がされた偽造防止ラベル１１を、別の被着体（模倣品）２６に再度貼り付けたとしても、接着層１５の剥離面１５ａには無数の凹凸２５が形成されているため、粘接着剤２１による接着力が大幅に低下している。これにより、接着層１５の接着力が有効に発揮されなくなり、偽造防止ラベル１１を別の被着体２６に再貼り付けするのが困難となる。
【００３６】
更に、接着層１５の剥離面１５ａに粘接着剤２１を追加して塗着し、偽造防止ラベル１１を再利用しようとしたとしても、粘接着剤２１には添加剤２０が残存しているため、接着層１５を元の状態に戻し難くなっている。これにより、接着層１５の接着力が有効に発揮され難くなり、偽造防止ラベル１１を別の被着体２６に再貼り付けするのが困難となる。
【００３７】
仮に、偽造防止ラベル１１が別の被着体２６（模倣品）に再貼り付けされたとしても、接着層１５の剥離面１５ａには無数の凹凸２５が形成されているため、印刷層１３を平坦な状態に維持することができなくなる。このため、特殊インク１９で印刷された文字１７やその背景１７ａ等の色相が、見る角度に応じて綺麗に変化しなくなる。これにより、偽造防止ラベル１１について、被着体１６（真正品）から不正に引き剥がされたことを明確に判別することが可能となる。
【００３８】
上記実施形態によれば以下のような効果を得ることができる。
（１）粘接着剤２１は油性接着剤であり、この粘接着剤２１には水性材料からなる添加剤２０が含有されている。この場合、添加剤２０が粘接着剤２１と混じり合わずに、そのまま存在し続ける。このことによって、偽造防止ラベル１１を被着体１６から引き剥がしたときに、粘接着剤２１からなる接着層１５の剥離面１５ａに無数の凹凸２５を形成することができる。そして、この凹凸２５によって、一旦引き剥がされた偽造防止ラベル１１の粘着力を大幅に低下させることができる。又、一旦引き剥がされた偽造防止ラベル１１が被着体２６（模倣品）に貼り付けられたとしても、接着層１５の剥離面１５ａに形成された凹凸２５を印刷層１３に浮き立たせることで、同ラベル１１が不正に引き剥がされたことを証明する痕跡を明確にすることができる。よって、偽造防止ラベル１１を再利用できなくすることにより、セキュリティ性を高めることが容易となる。
【００３９】
（２）添加剤２０を構成する水性材料としては、例えば水、エタノール、アルコール、グリコール等の親水性溶媒や、水性アクリル系樹脂、ポリエチレンオキシド系樹脂、セルロース誘導体系樹脂、でんぷん誘導体系樹脂を含む親水性微粒子等が挙げられる。これらは、いずれも親水性に富む物質であることから、油性接着剤である粘接着剤２１と添加剤２０とが互いに混じり合うことはない。このため、粘接着剤２１に添加剤２０を存在させることによって、偽造防止ラベル１１を被着体１６から引き剥がしたときに、粘接着剤２１からなる接着層１５の剥離面１５ａに無数の凹凸を形成することが容易となる。
【００４０】
（３）粘接着剤２１を構成する油性接着剤としては、例えば油性アクリル樹脂、エポキシ系樹脂、ポリエチレン系樹脂、エチレンー酢酸ビニル共重合体等のオレフィン系樹脂、オレフィン系エラストマー、ウレタン系エラストマー、シリコーン樹脂等が挙げられる。これらはいずれも親油性に富む物質であることから、粘接着剤２１と水性樹脂からなる添加剤２０とが互いに混じり合うことはない。このため、粘接着剤２１に添加剤２０を存在させることによって、偽造防止ラベル１１を被着体１６から引き剥がしたときに、粘接着剤２１からなる接着層１５の剥離面１５ａに無数の凹凸を形成することがより一層容易となる。
【００４１】
（４）添加剤２０は、マイクロカプセル２２のコアとして構成されている。そして、コアを被覆するシェル２４が、粘接着剤２１に可溶性な油性樹脂により形成されている。この場合、添加剤２０と粘接着剤２１との間にシェル２４を介在させることによって、添加剤２０を個々に独立した球体として粘接着剤２１中に存在させることが可能となる。それと共に、添加剤２０と粘接着剤２１との親和性を高くすることができ、同添加剤２０の非凝集性・分散性を高く保つことができる。つまり、水性材料からなる添加剤２０を油性接着剤である粘接着剤２１に偏在させることなく、より均一に分散させることができる。よって、偽造防止ラベル１１を被着体１６から引き剥がしたときに、同ラベル１１の接着層１５の剥離面１５ａに凹凸２５を満遍なく形成することができる。従って、被着体１６から引き剥がされた偽造防止ラベル１１の粘着力を更に大幅に低下させることができ、同ラベル１１の再利用をより一層困難にすることができる。
【００４２】
（５）シェル２４を構成する油性樹脂としては、例えばワックス類、ポリエチレン類、天然高分子類、アクリル酸エステル類等が挙げられる。この場合、例えば有機溶剤や加熱等により偽造防止ラベル１１が被着体１６から引き剥がされたとき、シェル２４が速やかに破壊されることから、添加剤２０が粘接着剤２１に放出され易くなっている。このように、有機溶剤や加熱等により、偽造防止ラベル１１を被着体１６から引き剥がしたとしても、接着層１５の剥離面１５ａには、添加剤２０による無数の凹凸２５を確実に形成することができる。よって、有機溶剤や加熱等の手段を用いて、偽造防止ラベル１１を被着体１６から綺麗に引き剥がしたとしても、同ラベル１１の再利用をできなくすることができる。
【００４３】
（６）印刷層１３は、光学的特性を有する特殊インク１９を印刷することにより形成されている。この場合、偽造防止ラベル１１が別の被着体２６に再貼り付けされたとしても、接着層１５の剥離面１５ａに形成された無数の凹凸２５により、文字１７やその背景１７ａについて色相が綺麗に変化しなくなる。これにより、偽造防止ラベル１１について、被着体１６（真正品）から不正に引き剥がされたことを明確に判別することが可能となる。
【００４４】
（７）印刷層１３及び接着層１５には、ベンジン、ベンゼン等の有機溶剤に易溶性の染料が含有されている。この場合、有機溶剤を用いて偽造防止ラベル１１を被着体１６から引き剥がしたときに、印刷層１３及び接着層１５に含有された染料が染み出すことによって、同ラベル１１が不正に引き剥がされたことをより明確にすることができる。
【００４５】
（８）印刷層１３には、蛍光インクや燐光インク等により隠し文字１８が印刷されている。これにより、偽造防止ラベル１１について、被着体１６（真正品）から不正に引き剥がされたことを容易に証明することができる。
【００４６】
（９）印刷層１３の表面には保護層１４が積層形成されている。この保護層１４によって、印刷層１３の変質及び劣化を抑制することができ、セキュリティ性を長期間に亘って高く保つことができる。
【００４７】
（１０）支持体１２の角部には切込み部１２ａが形成されている。この場合、切込み部１２ａが切れ易くなっているため、偽造防止ラベル１１を被着体１６から綺麗に引き剥がし難くすることができ、同ラベル１１の再利用をできなくすることができる。
【００４８】
以下、前記実施形態に対する変形例を記載する。
（変形例１）本実施形態において、添加剤２０はマイクロカプセル２２のコアとして構成されていたが、同添加剤２０を直接粘接着剤２１に添加してもよい。この場合、粘接着剤２１中において、水性材料からなる添加剤２０同士が凝集するのを防ぐために、その他の成分として界面活性剤等を添加するのが好ましい。
【００４９】
（変形例２）本実施形態において、粘接着剤２１は油性接着剤であり、添加剤２０は水性材料により形成されていたが、同粘接着剤２１を水性接着剤とし、添加剤２０を油性樹脂により形成してもよい。水性接着剤としては、例えば天然高分子糊剤やにかわ等が挙げられる。
【００５０】
（変形例３）本実施形態において、支持体１２は略四角形状であったが、図４（ａ）〜（ｃ）に示すように、同支持体１２を星型、丸型、菱形に変更してもよい。
（変形例４）本実施形態において、偽造防止ラベル１１は、保護層１４、印刷層１３、支持体１２及び接着層１５の順に積層されていたが、保護層１４、支持体１２、印刷層１３及び接着層１５の順に積層されてもよい。この場合、支持体１２は、印刷層１３を透過可能とするため、透明色であるのが好ましい。
【００５１】
（変形例５）本実施形態において、印刷層１３は、光学的特性を有する特殊インク１９、蛍光インク、燐光インク等により印刷されていたが、普通インクにより印刷してもよい。
【００５２】
（変形例６）本実施形態において、偽造防止ラベル１１は保護層１４を備えていたが、この保護層１４を省略してもよい。
（変形例７）本実施形態において、印刷層１３及び接着層１５の両方について、有機溶剤に易溶性の染料が含有されていたが、前記両層１３、１５のうち少なくいずれか一方に含有されていてもよい。又、いずれの層１３，１５にも含有されなくてもよい。
【００５３】
（変形例８）本実施形態において、支持体１２の角部には切込み部１２ａが形成されていたが、これを省略してもよい。
【図面の簡単な説明】
【００５４】
【図１】本実施形態における偽造防止ラベルの斜視図。
【図２】同じく偽造防止ラベルの模式断面図。
【図３】（ａ）は被着体に貼り付けられた偽造防止ラベルの模式断面図、（ｂ）は被着体から引き剥がされた偽造防止ラベルの模式断面図、（ｃ）は被着体に再貼り付けされた偽造防止ラベルの模式断面図。
【図４】（ａ）〜（ｃ）は変形例の偽造防止ラベルの平面図。
【符号の説明】
【００５５】
１１…偽造防止ラベル、１２…支持体、１３…印刷層、１４…保護層、１５…接着層、１６…被接着体、２０…添加剤、２１…粘接着剤、２２…マイクロカプセル。
【図１】
2005266147.tif 000003
【図２】
2005266147.tif 000004
【図３】
2005266147.tif 000005
【図４】
2005266147.tif 000006